(57)【要約】【課題】ラインナップ上の種々の仕様の数値制御装置を極力少ない種類の基板によって構成することを可能にした数値制御装置を提供する。【解決手段】表示器１０の背面側に表示器１０の表示動作に関わる主プリント基板２０が配された表示装置１を有し、主プリント基板２０は、表示器１０の表示を制御する信号を授受するための第１制御用コネクタ２１と、拡張機能に係る副プリント基板３０を自基板に対して平面的に並置して接続する第１連係コネクタ２２とを有し、副プリント基板３０は、表示器１０の表示を制御する信号を授受するための第２制御用コネクタ３１と、第１連係コネクタ２２との接続用の第２連係コネクタ３２とを有し、表示器１０は、第１制御用コネクタ２１及び第２制御用コネクタ３１との接続に適合する表示器側コネクタ１２１、１２２を備える数値制御装置。【選択図】図１
2018063664.tif 000002
【特許請求の範囲】
【請求項１】
操作者に所要の表示を行う表示器の背面側に前記表示器の表示動作に関わる主プリント基板が配された表示装置を有する数値制御装置であって、
前記主プリント基板は、前記表示器の表示を制御する第１表示制御信号を含む信号を授受するための第１制御用コネクタと、拡張機能に係る副プリント基板を自基板に対して平面的に並置して接続する第１連係コネクタとを有し、
前記副プリント基板は、自基板の外部から供給される信号に基づいて前記表示器の表示を制御する第２表示制御信号を含む信号を授受するための第２制御用コネクタと、前記第１連係コネクタとの接続用の第２連係コネクタとを有し、
前記表示器は、その背面側に、前記第１制御用コネクタに接続される第１位置と、前記第２制御用コネクタに接続される第２位置との両位置で選択的に電気的接続を得る表示器側コネクタを備えた数値制御装置。
【請求項２】
前記表示器側コネクタは、前記第１制御用コネクタとの接続用の第１表示器側コネクタと、前記第２制御用コネクタとの接続用の第２表示器側コネクタとを含んで構成され、
前記第１制御用コネクタは、前記主プリント基板の前記表示器に対向する側に配され、
前記第２制御用コネクタは、前記副プリント基板の前記表示器に対向する側に配されている、
請求項１に記載の数値制御装置。
【請求項３】
前記表示器側コネクタは、その位置を、前記第１制御用コネクタに接続される第１位置と、前記第２制御用コネクタに接続される第２位置とに変更可能である、請求項１に記載の数値制御装置。
【請求項４】
前記主プリント基板は、主プリント基板側コネクタを備え、前記表示器側コネクタと前記主プリント基板側コネクタとは、フレキシブルな導体部により接続される、
請求項１に記載の数値制御装置。
【発明の詳細な説明】
【技術分野】
【０００１】
本発明は、数値制御装置に関し、詳細にはプリント基板を共通化した数値制御装置に関する。
【背景技術】
【０００２】
機器を制御する制御基板は、その仕様に応じてそれぞれ専用の基板が用意されるのが一般的である。これに対して、専用の基板を用意することを回避するために、複数種類の標準的な分割基板を用意しておき、それらを要求仕様に応じた組み合わせで分割基板間にスペーサを挟んで既定形状の筐体内に固定し、上記専用の基板と同様の仕様を充足できるようにする技術が提案されている（例えば、特許文献１参照）。
特許文献１には、複数の制御対象機器に共通の共通基板と、制御対象機器毎の仕様に応じた個別基板とを、同一平面上に配置する構造が開示されている。
【０００３】
一方、一の標準化された寸法の基板と他の標準化された寸法の基板とが一平面内でコネクタにより接続されると、その接続体が、更に他の標準化された基板の寸法に合致するように設計する手法が提案されている（例えば、特許文献２参照）。
特許文献２には、メインボードである第１の基板に付加的なスロットが必要な場合、スロットを有する第２の基板を拡張基板として追加可能である旨開示されている。
【先行技術文献】
【特許文献】
【０００４】
【特許文献１】特開平９−２４６７５４号公報
【特許文献２】特開２００２−３１４２１５号公報
【発明の概要】
【発明が解決しようとする課題】
【０００５】
ところで、数値制御装置のような装置におけるマンマシンインタフェース部を構成する表示装置は、装置の仕様に係るラインナップに応じてローエンド、ミドルエンド、ハイエンド等々の区分に応じた構成のものが準備される。この種の数値制御装置は、一般に表示部の背面側に、表示部を駆動したり、表示部（タッチパネル）に対する入力を処理する機能を有する基板が配される。
【０００６】
このような基板に、特許文献１又は特許文献２に記載の技術を適用して、ラインナップ上の該当する仕様の数値制御装置を構成しようとした場合には、以下の技術課題が生じる。端的には、ローエンドの仕様において適用される基本的機能部であるメインボードに、ミドルエンド及びハイエンドの仕様を充足するための拡張機能を有するグラフィックボードを接続して用いようとした場合、表示装置における表示器（ＬＣＤ）とメインボード及びグラフィックボードとの接続の仕方については、上述の両特許文献の技術をそのまま適用しても具体的な解決策が導かれるわけではない。
【０００７】
本発明は、上記のような状況に鑑みてなされたものであり、製品のラインナップ上の種々の仕様の数値制御装置を極力少ない種類のプリント基板の組み合わせによって構成可能にすると共に、この組み合わせに際して配線の接続が簡素化される数値制御装置を提供することを目的とする。
【課題を解決するための手段】
【０００８】
本発明の数値制御装置は、操作者に所要の表示を行う表示器（例えば、後述する表示器１０）の背面側に前記表示器の表示動作に関わる主プリント基板（例えば、後述する主プリント基板２０）が配された表示装置（例えば、後述する表示装置１）を有する数値制御装置であって、前記主プリント基板は、前記表示器の表示を制御する第１表示制御信号を含む信号を授受するための第１制御用コネクタ（例えば、後述する第１制御用コネクタ２１）と、拡張機能に係る副プリント基板（例えば、後述する副プリント基板３０）を自基板に対して平面的に並置して接続する第１連係コネクタ（例えば、後述する第１連係コネクタ２２）とを有し、前記副プリント基板は、自基板の外部から供給される信号に基づいて前記表示器の表示を制御する第２表示制御信号を含む信号を授受するための第２制御用コネクタ（例えば、後述する第２制御用コネクタ３１）と、前記第１連係コネクタとの接続用の第２連係コネクタ（例えば、後述する第２連係コネクタ３２）とを有し、前記表示器は、その背面側に、前記第１制御用コネクタに接続される第１位置と、前記第２制御用コネクタに接続される第２位置との両位置で選択的に電気的接続を得る表示器側コネクタ（例えば、後述する第１表示器側コネクタ１２１、第２表示器側コネクタ１２２）を備える。
【０００９】
本発明の数値制御装置は、その一態様において、前記表示装置における前記表示器側コネクタは、前記第１制御用コネクタとの接続用の第１表示器側コネクタ（例えば、後述する第１表示器側コネクタ１２１）と、前記第２制御用コネクタとの接続用の第２表示器側コネクタ（例えば、後述する第２表示器側コネクタ１２２）とを含んで構成され、前記第１制御用コネクタは、前記主プリント基板の前記表示器に対向する側に配され、前記第２制御用コネクタは、前記副プリント基板の前記表示器に対向する側に配されている。
【００１０】
本発明の数値制御装置は、その一態様において、前記表示装置における前記表示器側コネクタは、その位置を、前記第１制御用コネクタに接続される第１位置（例えば、後述する第１位置Ｐ１）と、前記第２制御用コネクタに接続される第２位置（例えば、後述する第２位置Ｐ２）とに変更可能である。
【００１１】
本発明の数値制御装置は、その一態様において、前記表示装置における前記主プリント基板は、主プリント基板側コネクタを備え、前記表示器側コネクタと前記プリント基板側コネクタとは、フレキシブルな導体部（例えば、後述するフレキシブルコネクタ６０）により接続される。
【発明の効果】
【００１２】
本発明によれば、製品のラインナップ上の種々の仕様の数値制御装置を極力少ない種類のプリント基板の組み合わせによって構成可能にすると共に、この組み合わせに際して配線の接続が簡素化される数値制御装置を具現することができる。
【図面の簡単な説明】
【００１３】
【図１】本発明の一実施形態としての数値制御装置における表示装置を示す概略構成図である。
【図２】図１の数値制御装置における表示装置の基板間の一つの接続態様を示す図である。
【図３】本発明の他の実施形態としての数値制御装置における表示装置の基板間の第１接続態様を示す図である。
【図４】図３の数値制御装置における表示装置の基板間の第２接続態様を示す図である。
【図５】本発明の他の実施形態としての数値制御装置における表示装置を示す概略構成図である。
【図６】図５の数値制御装置における表示装置の基板間の一つの接続態様を示す図である。
【図７】図１及び図５の数値制御装置の表示装置における基板上のデバイスの搭載の様子を示す図である。
【図８】本発明の変形例としての数値制御装置における表示装置を示す概略構成図である。
【図９】図８の数値制御装置における表示装置の基板間の一つの接続態様を示す図である。
【図１０】本発明に関連する数値制御装置における表示装置を示す概略構成図である。
【図１１】図１０の数値制御装置における表示装置の基板間の一つの接続態様を示す図である。
【発明を実施するための形態】
【００１４】
図１及び図２を参照して本発明の一実施形態としての数値制御装置における表示装置について説明する。
図１は、本発明の一実施形態としての数値制御装置における表示装置を示す概略構成図である。図２は、図１の数値制御装置における表示装置の基板間の一つの接続態様を示す図である。図２では接続態様を示すことを主眼としているため、基板上の実装部品については図示を省略している。
【００１５】
この数値制御装置は、その仕様に係るラインナップにおいては相対的に上級仕様の所謂ミドルエンド及びハイエンドに位置付けられるものであり、表示装置１が所謂グラフィックボードとして機能する副プリント基板３０をも備えたタイプのものである。
本明細書における以下の説明において、表示器１０は、上述の表示装置１における一つの構成要素である。
【００１６】
表示器１０は、その表示面側にＬＣＤ等を有し、その背面側に、外部からの信号に基づいてＬＣＤ等の表示素子を駆動する表示器基板１１を有している。表示器１０における表示面側と反対側の背面側には、主プリント基板２０が配置されている。この主プリント基板２０には、その拡張機能に係る副プリント基板３０が接続される。
【００１７】
図１の実施形態では、主プリント基板２０は第１連係コネクタ２２を有し、副プリント基板３０は第２連係コネクタ３２を有する。主プリント基板２０と副プリント基板３０とは、第１連係コネクタ２２及び第２連係コネクタ３２によって接続されて連係動作する。
【００１８】
主プリント基板２０は、表示器１０の背面への対向面側に、表示器１０の表示を制御する第１表示制御信号Ｄ１を含む信号を授受するための第１制御用コネクタ２１を有する。
一方、副プリント基板３０は、表示器１０の背面への対向面側に、主プリント基板２０やその他自基板の外部から供給される信号に基づいて表示器１０の表示を制御する第２表示制御信号Ｄ２を含む信号を授受するための第２制御用コネクタ３１を有する。
また、表示器１０の表示器基板１１には、ＳＤカードスロット、ＵＳＢインタフェース、等が実装される他、ソフトキー、タッチパネルに係る機能部等が集約的に設けられている。
図２に示すように、表示器１０の背面側には、表示器基板１１に対向して、主プリント基板２０及び副プリント基板３０が平面的に並置される。表示器１０（詳細には背面側の表示器基板１１）は、主プリント基板２０及び副プリント基板３０が上述のように平面的に並置された状態で、それらの第１制御用コネクタ２１及び第２制御用コネクタ３１に対応する位置に、表示器側コネクタ１２を備えている。
【００１９】
本明細書において、「平面的に並置される」とは、図１及び図２に示すような表示器１０に対する背面視で重ならない態様に制限されず、部分的に若干の重なりはあるが、大部分は重ならない態様を含む意味である。また、本明細書では、表示器側コネクタ１２が配される位置のうち、第１制御用コネクタ２１に対応する位置を第１位置と称し、第２制御用コネクタ３１に対応する位置を第２位置と称する。
【００２０】
図１の実施形態における表示器側コネクタ１２は、上述の第１位置に位置する第１表示器側コネクタ１２１と、上述の第２位置に位置する第２表示器側コネクタ１２２との２つのコネクタを含んで構成される。この場合、主プリント基板２０と副プリント基板３０との結合体と、表示器基板１１側との接続は、図２に示す態様を呈する。
【００２１】
図２に示すように、副プリント基板３０側の第２制御用コネクタ３１が表示器１０の表示器基板１１の第２表示器側コネクタ１２２に接続された状態において、主プリント基板２０側の第１制御用コネクタ２１は、表示器１０の表示器基板１１の第１表示器側コネクタ１２１に接続される。
即ち、主プリント基板２０と副プリント基板３０との結合体と、表示器基板１１側との間の信号の授受は、表示器基板１１で第１表示器側コネクタ１２１と第２表示器側コネクタ１２２を選択して、第２表示器側コネクタ１２２より電気的接続を得ることにより、行われる。これにより上級仕様のミドルエンド及びハイエンドの数値制御装置としてのマンマシンインタフェースを実現できる。
【００２２】
主プリント基板２０上には、例えば、制御対象であるサーボ機構の制御を行うための回路基板であるサーボカード４１及びＣＰＵカード４２が搭載される。これらについては後に別の図面を併せて参照して説明する。
また、主プリント基板２０及び副プリント基板３０には、それぞれ電源部７１及び電源部７２が各別に実装される。主プリント基板２０上の実装部品における作動電源は電源部７１によって賄われるが、主プリント基板２０と副プリント基板３０とが第１連係コネクタ２２及び第２連係コネクタ３２によって接続された場合には、主プリント基板２０より副プリント基板３０に電源が供給される。
従って、本発明の実施形態における既述の第１制御用コネクタ２１、第２制御用コネクタ３１、第１連係コネクタ２２、第２連係コネクタ３２は、該当する信号用の導体のみならず、電源の供給及び受け渡し用の導体を有する。
尚、主プリント基板２０及び副プリント基板３０に配されたデバイスから発生する熱を冷却するための第１冷却ファン５１及び第２冷却ファン５２が、適宜の支持部材によって設けられる。
【００２３】
次に、図３及び図４を参照して本発明の他の実施形態としての数値制御装置における表示装置について説明する
図３は、本発明の他の実施形態としての数値制御装置における表示装置の基板間の第１接続態様を示す図である。図４は、図３の数値制御装置における表示装置の基板間の第２接続態様を示す図である。
図３及び図４において、既述の図１及び図２との対応部は同一の符号を付して示し、それら各部の説明は適宜省略する。
【００２４】
図３及び図４の実施形態における特徴は、既述の表示器側コネクタ１２の第１表示器側コネクタ１２１又は第２表示器側コネクタ１２２に相応する一つの表示器側コネクタ１２ａが、その位置を変えられるように設けられている点である。尚、図４の実施形態の場合には、主プリント基板２０と副プリント基板３０とは、既述の第１連係コネクタ２２及び第２連係コネクタ３２によって接続される。
その他の点については、既述の図１及び図２の実施形態、又は、後述する図５及び図６の実施形態と同様である。
即ち、表示器側コネクタ１２ａは、その位置を、主プリント基板２０の第１制御用コネクタ２１に接続される第１位置Ｐ１と、第２制御用コネクタ３１に接続される第２位置Ｐ２とに変更可能である。
【００２５】
上述における表示器側コネクタ１２ａの第１位置Ｐ１と第２位置Ｐ２との間での位置の変更は、例えば次の構成により実現できる。即ち、表示器１０の表示器基板１１上における第１位置Ｐ１及び第２位置Ｐ２に対応する両部位に、表示器側コネクタ１２ａを挿抜可能なコネクタ接続部を設け、これらのコネクタ接続部の何れかに選択的に表示器側コネクタ１２ａを差し込み得るように構成する。
【００２６】
また、表示器側コネクタ１２ａを表示器基板１１側の回路（不図示）との所要の電気的接触が維持された状態で、表示器基板１１の主面に沿う方向にスライドさせ得るような構成を採ることもできる。具体的には、各個の接続導体に対応して表示器基板１１側に位置が固定された複数の平行な導体のレールに対し、これらのレールに接触しながら各対応する可動導体であるスライダが平行に移動するような構成を採り得る。この場合、各スライダが表示器側コネクタ１２ａにおける各接触子を構成する。
図３及び図４の実施形態によれば、図３の接続態様と図４の接続態様とで、表示器側コネクタ１２ａを共用することができる、
【００２７】
次に、図５及び図６を参照して本発明の他の実施形態としての数値制御装置における表示装置について説明する。
図５は、本発明の他の実施形態としての数値制御装置における表示装置を示す概略構成図である。図６は、図５の数値制御装置における表示装置の基板間の一つの接続態様を示す図である。
図５及び図６において、既述の図１及び図２との対応部は同一の符号を付して示し、個々の説明は適宜省略する。
【００２８】
図１の数値制御装置がその仕様に係るラインナップにおいては相対的に上級仕様の所謂ミドルエンド及びハイエンドに位置付けられるものであったのに対し、図５の数値制御装置はベーシックな所謂ローエンドに位置付けられるものである。端的には、図１の数値制御装置では、表示装置１がグラフィックボードとして機能する既述の副プリント基板３０を用いた仕様であったところ、図５の数値制御装置では、表示装置１ａが副プリント基板３０を用いない仕様のものである。
即ち、図５の通り、表示器１０の背面側に主プリント基板２０が配置されるが、その拡張機能に係る副プリント基板３０（破線で示す）は配置されない。
【００２９】
図５及び図６の実施形態における主プリント基板２０は、その第１制御用コネクタ２１が表示器１０の表示器側コネクタ１２（詳細には、第１表示器側コネクタ１２１）に接続される。この接続が確立した状態で、主プリント基板２０は、表示器１０の表示を制御する第１表示制御信号Ｄ１を含む信号を、両コネクタ（２１、１２１）を通して表示器１０と授受する。これにより、表示器１０におけるベーシックなマンマシンインタフェースが実現される。即ち、上述のように表示器１０に主プリント基板２０が接続された状態で、ローエンド仕様の数値制御装置に相応した態様で表示装置１ａが機能する。
【００３０】
次に図７を参照して、図１では簡略に説明した主プリント基板２０におけるサーボカード４１及びＣＰＵカード４２の搭載態様についてより具体的に説明する。
図７は、図１及び図５の数値制御装置の表示装置における基板上のデバイス（サーボカード４１及びＣＰＵカード４２）の搭載の様子を示す図である。
図７における表示器１０の表示器基板１１と主プリント基板２０との接続は、図２及び図３を参照して既述のように、表示器側コネクタ１２としての第１表示器側コネクタ１２１と主プリント基板２０の第１制御用コネクタ２１との両コネクタ（１２１、２１）が結合して確立する。
主プリント基板２０上に、制御対象であるサーボ機構の制御を行うための回路基板であるサーボカード４１及びＣＰＵカード４２がカードコネクタ４３で接続される。
【００３１】
次に、図８及び図９を参照して本発明の変形例としての数値制御装置における表示装置について説明する。
図８は、本発明の変形例としての数値制御装置における表示装置を示す概略構成図である。図９は、図８の数値制御装置における表示装置の基板間の一つの接続態様を示す図である。
図８及び図９において、既述の図１及び図２との対応部は同一の符号を付して示し、それら各部の説明は適宜省略する。
【００３２】
図８の数値制御装置における表示装置１ｃと既述の図５の数値制御装置における表示装置１ａとの主な相違点は、主プリント基板２０ａ（２０）の表示器１０（その表示器基板１１）側への接続態様の相違にある。
即ち、図５の主プリント基板２０は、その表示器１０への対向面側に設けられた第１制御用コネクタ２１が、表示器１０（その表示器基板１１）側に設けられた第１表示器側コネクタ１２１と結合することにより、表示器１０の表示器基板１１側に接続されている。これに対し、図８の数値制御装置における表示装置１ｃにおける主プリント基板２０ａは、フレキシブルな導体部を有するフレキシブルフラットケーブルで構成されるフレキシブルコネクタ６０が、表示器１０の表示器基板１１側とは反対側の主面２０１に設けられた端子部と結合することにより、表示器１０の表示器基板１１側に接続される。フレキシブルコネクタ６０は、その一端側端子部６１が主面２０１に設けられ、その他端側端子部６２が表示器基板１１に設けられる。
【００３３】
換言すれば、主プリント基板２０ａは、表示器１０とは反対側の主面である第１主面２０１に、主プリント基板側コネクタとしての一端側端子部６１を備える。表示器側コネクタとしての他端側端子部６２と、主プリント基板側コネクタ（一端側端子部６１）とは、フレキシブルな導体部（フレキシブルコネクタ６０）により接続される。
このように、主プリント基板２０ａは、既述のように表示器１０に対向する主面側に設けられたコネクタによって表示器１０（その表示器基板１１）に接続されるのみならず、図８の変形例のように、主プリント基板２０ａは、表示器１０とは反対側の主面である第１主面２０１で表示器１０（その表示器基板１１）と接続される態様を採り得る。
尚、図８及び図９の実施形態では、主プリント基板側コネクタ（一端側端子部６１）は主プリント基板２０ａの第１主面２０１に設けられているが、主プリント基板側コネクタ６１の配置はこれに限定されない。即ち、主プリント基板側コネクタ６１を第１主面２０１とは反対側の主面に設けてもよく、又は、主プリント基板２０ａのエッジ部に設けてもよい。
【００３４】
尚、上述の何れの実施形態を採った場合においても、表示器１０は所謂８．４インチサイズのものが適用され、主プリント基板及び副プリント基板のサイズもこの表示器のサイズに見合ったものが適用される。
【００３５】
尚、本発明は、表示機能部と制御機能部とが一体化された所謂一体形の数値制御装置に係るものであり、図５の例における数値制御装置では、その表示装置１は、主プリント基板２０を用い、副プリント基板３０を用いないベーシックな構成であった。
これに対し、上述のような一体形の数値制御装置とは異なる、所謂分離形の数値制御装置も存在する。この分離形の数値制御装置では、表示機能部と制御機能部とが分離される。
ここで、本発明の実施形態の技術を、所謂分離形の数値制御装置に応用する例について、図面を参照して説明する。
【００３６】
図１０は、本発明に関連する数値制御装置における表示装置を示す概略構成図である。図１１は、図１０の表示装置の基板間の一つの接続態様を示す図である。
図１０及び図１１において、既述の図１、図２、図５、及び、図６との対応部は同一の符号を付して示し、個々の説明は適宜省略する。
図１０の表示装置１ｄにおける既述の図５の表示装置１ａとの相違点は、図５の表示装置１ａでは主プリント基板２０を用い、副プリント基板３０を用いないベーシックな構成であったところ、図１０の表示装置１ｄでは、主プリント基板２０を用いず、副プリント基板３０を用いて所謂分離形の数値制御装置を実現している点である。
【００３７】
この場合、副プリント基板３０は上述のように供給される外部信号に基づいて、表示器１０の表示を制御する第２表示制御信号Ｄ２を生成し、この第２表示制御信号Ｄ２含む信号を、自己の第２制御用コネクタ３１及びこれと接続される表示器１０側の第２表示器側コネクタ１２２を通して表示器基板１１との間で授受する。
即ち、既述の主プリント基板２０を用いないが、副プリント基板３０の接続には、その第２制御用コネクタ３１に接続される既述の表示器１０側の第２表示器側コネクタ１２２を用い得る。
【００３８】
以上、各実施形態について詳述した通り、本発明によれば、ラインナップ上の種々の仕様の数値制御装置における表示装置を極力少ない種類の基板の組み合わせによって構成可能にすると共に、この組み合わせに際して表示器との配線の接続が簡素化される数値制御装置における表示装置が実現される。
【００３９】
尚、本発明は既述の実施形態には限定されるものではなく、種々、変形変更して実施可能である。例えば、上述の実施形態では、副プリント基板３０が一つの所謂グラフィックボードとして機能する場合について説明したが、副プリント基板３０として多種の機能のものを準備してもよい。即ち、主プリント基板２０側と連係するためのコネクタ（第１連係コネクタ２２と対となる第２連係コネクタ３２）や表示器１０（表示器基板１１）と接続するためのコネクタ（第２表示器側コネクタ１２２と対となる第２制御用コネクタ３１）の仕様を共通化しつつ、信号処理能力について、複数種類の特化された機能を有するものを準備して、これらを要求仕様に応じて選択的に適用するようにしてもよい。
その他、本発明の目的を達成できる範囲での変形、改良も本発明に包摂される。
【符号の説明】
【００４０】
１、１ａ、１ｂ、１ｃ、１ｄ  表示装置
１０  表示器
１２  表示器側コネクタ
２０  主プリント基板
２１  第１制御用コネクタ
２２  第１連係コネクタ
３０  副プリント基板
３１  第２制御用コネクタ
３２  第２連係コネクタ
６０  フレキシブルコネク
６１  一端側端子部（主プリント基板側コネクタ）
１２１  第１表示器側コネクタ
１２２  第２表示器側コネクタ
【図１】
2018063664.tif 000003
【図２】
2018063664.tif 000004
【図３】
2018063664.tif 000005
【図４】
2018063664.tif 000006
【図５】
2018063664.tif 000007
【図６】
2018063664.tif 000008
【図７】
2018063664.tif 000009
【図８】
2018063664.tif 000010
【図９】
2018063664.tif 000011
【図１０】
2018063664.tif 000012
【図１１】
2018063664.tif 000013